(57)【要約】      （修正有）【課題】洗浄効率の高いバレルめっき装置を提供する。【解決手段】バレルめっき装置１は、略筒状で回転可能に構成され、内部に被めっき物６１の集合体が収容されるバレル１０と、挿入構造体３０と、を備える。そして、挿入構造体３０は、被めっき物６１の集合体の内部に直接洗浄液を噴出する噴出機構を備える。被めっき物６１の集合体の内部に直接洗浄液を噴出するため、集合体内部にある被めっき物６１の洗浄が可能となる。【選択図】図３
2011032562.tif 000002
【特許請求の範囲】
【請求項１】
略筒状で回転可能に構成され、内部に被めっき物の集合体が収容されるバレルと、
前記被めっき物の集合体の内部に直接洗浄液を噴出する噴出機構と、
を備えるバレルめっき装置。
【請求項２】
前記バレル内に挿入される陰極機構を備え、前記噴出機構が前記陰極機構の周囲に形成される、請求項１に記載のバレルめっき装置。
【請求項３】
前記噴出機構は、前記陰極機構の周囲に形成される外芯と、前記外芯に形成される噴出口と、前記陰極機構と前記外芯との間の空間で構成される経路と、を備え、前記洗浄液は前記経路を通って前記噴出口から噴出する、請求項１または２に記載のバレルめっき装置。
【請求項４】
略筒状で回転可能に構成されるバレルと、
前記バレル内に挿入される陰極機構と、
前記陰極機構に接するように形成され、前記被めっき物に洗浄液を噴出する噴出機構と、
を備える、バレルめっき装置。
【請求項５】
前記噴出機構は、前記陰極機構の周囲に形成される、請求項４に記載のバレルめっき装置。
【発明の詳細な説明】
【技術分野】
【０００１】
本発明は、バレルめっき装置に関する。特にチップ型電子部品の製造に用いられるバレルめっき装置に関する。
【背景技術】
【０００２】
積層セラミックコンデンサなどのチップ型電子部品にめっきを施す際に用いられるめっき装置として、回転型のバレルめっき装置がある。
【０００３】
このバレルめっき装置を用いてめっきを行う場合には、まずバレル内部に、チップ型電子部品等の被めっき物とスチールボール等の導電性媒体物とを収容する。そして、槽内にＮｉやＳｎ等のめっきすべき金属からなる陽極を浸漬させた状態で、バレルをめっき槽に浸漬させる。そして、バレルを回転させつつ、陰極と陽極との間に直流電流を流す。陽極からはめっきすべき金属がめっき液中に溶出する。バレル内では、負に帯電した陰極電極部が導電性媒体物に接触し、さらに導電性媒体物が被めっき物に接触することにより、被めっき物表面の導電性の部分が負に帯電して、めっき皮膜が析出する。
【０００４】
ところで、めっきを行った後に、被めっき物を洗浄する必要がある。被めっき物の洗浄が不十分である場合には、被めっき物に残渣が付着し、外観上や特性上の劣化を招くおそれがある。そのため、様々な洗浄機構が提案されている。
【０００５】
例えば特許文献１では、図５のように、噴出口１０８の先端から噴出させた純水等の洗浄液１０７が、バレル１０１内に流入する。そして、流入した洗浄液１０７がバレル１０１内に残留しためっき処理液をバレル外部に洗い流す。そして、洗浄液１０７とともに洗い出されためっき処理液１０４が、バレル直下の槽１０３内へと落下する機構が開示されている。
【先行技術文献】
【特許文献】
【０００６】
【特許文献１】特開平１−１００３００号公報
【発明の概要】
【０００７】
【発明が解決しようとする課題】
【０００８】
特許文献１に開示の機構は、バレルの外側から洗浄液を噴出させるものである。したがって、バレル内に大量の被めっき物が収容される場合、洗浄液が被めっき物の集合体の内部と接触しにくいため、洗浄が不十分になってしまう。
【０００９】
本発明は、上記の課題に鑑みなされたものであって、洗浄効率の高いバレルめっき装置を提供することを目的とする。
【課題を解決するための手段】
【００１０】
本発明に係るバレルめっき装置は、略筒状で回転可能に構成され、内部に被めっき物の集合体が収容されるバレルと、前記被めっき物の集合体の内部に直接洗浄液を噴出する噴出機構と、を備えることを特徴としている。
【００１１】
本発明では、被めっき物の集合体の内部に直接洗浄液を噴出するため、集合体内部にある被めっき物の洗浄が可能となる。
【００１２】
また、本発明では、前記バレル内に挿入される陰極機構を備え、前記噴出機構が前記陰極機構の周囲に形成されることが好ましい。
【００１３】
この場合、陰極機構の周囲の被めっき物を直接洗浄することができる。そのため、洗浄効率が向上する。
【００１４】
また、本発明では、前記噴出機構は、前記陰極機構の周囲に形成される外芯と、前記外芯に形成される噴出口と、前記陰極機構と前記外芯との間の空間で構成される経路と、を備え、前記洗浄液は前記経路を通って前記噴出口から噴出することが好ましい。
【００１５】
この場合、バレル内に新たな構成部材を設けないので、構造を簡素にすることが可能となる。
【００１６】
また、本発明に係るバレルめっき装置は、略筒状で回転可能に構成されるバレルと、前記バレル内に挿入される陰極機構と、前記陰極機構に接するように形成され、前記被めっき物に洗浄液を噴出する噴出機構と、を備えることを特徴としている。
【００１７】
この場合、噴出機構が陰極機構に接するように形成されているため、被めっき物の集合体内部に洗浄液を直接噴出することが可能となる。
【００１８】
また、本発明では、前記噴出機構は、前記陰極機構の周囲に形成されることが好ましい。
【００１９】
この場合、省スペース化が可能となる。噴出機構の構造が強度的に安定する。また、陰極機構の一部が被覆されるため、陰極機構の耐久性が向上する。
【発明の効果】
【００２０】
上述したように、本発明のバレルめっき装置は、被めっき物の集合体の内部に直接洗浄液を噴出する噴出機構を備えている。そのため、集合体内部の被めっき物の効率的な洗浄が可能である。
【図面の簡単な説明】
【００２１】
【図１】本発明のバレルめっき装置の断面図である。
【図２】本発明の挿入構造体の拡大断面図である。
【図３】本発明のバレルめっき装置の使用時の断面図である。
【図４】本発明のバレルの使用時の断面図である。
【図５】従来のバレルめっき装置を示す図である。
【発明を実施するための形態】
【００２２】
以下に本発明の実施の形態について説明する。
【００２３】
図１は本発明に係るバレルめっき装置の断面図である。図１におけるバレル１０、挿入口２０、および挿入構造体３０は、バレル１０の回転軸を含む面で破断して示している。
【００２４】
バレルめっき装置１は、バレル１０と、挿入口２０と、挿入構造体３０と、を備えている。バレル１０は断面が六角形の筒状であり、その少なくとも一部がめっき液を透過させるように、穴が形成されたアクリルやメッシュ等の材質からなっている。バレル１０の端面には挿入口２０が取り付けられており、バレル１０は挿入口２０により回転可能に支持されている。バレルの端面とは、バレルの筒の底面にあたる二つの面を指す。本実施形態では、バレル１０の中心軸と回転軸が一致しているが、中心軸と回転軸が異なっていてもよい。また、バレル１０の形状は略筒状であればよく、断面が六角形のものに限定されない。
【００２５】
挿入構造体３０は、バレル１０の端面から、バレル１０内に挿入されている。すなわち、構造挿入体３０は、バレル１０の回転軸と略同心となる位置から、挿入口２０を貫通している。挿入構造体３０は、略水平に延びた後、下方に向かって曲がり、さらに再び水平方向に曲がる構造になっている。
【００２６】
図２は挿入構造体３０の拡大断面図である。挿入構造体３０は、陰極機構４０と、噴出機構５０と、を備える。噴出機構５０は、陰極機構４０に接するように形成されている。
【００２７】
陰極機構４０は、外側が外芯５１により絶縁被覆されている陰極導入部４１と、絶縁被覆されていない陰極電極部４２と、を備える。
【００２８】
噴出機構５０は、陰極機構４０の周囲に形成されている。そして、噴出機構５０は、外芯５１と、噴出口５２と、経路５３と、を備えている。外芯５１は、陰極導入部４１の周囲に形成されている。そして、外芯５１は、陰極導入部４１との間に空隙が生じるように形成されている。噴出口５２は、外芯５１に形成されており、外芯５１を貫通している。噴出口５２は、外芯５１に複数形成されている。噴出口５２の直径は、被めっき物や導電性媒体物が経路に流れ込まないように、被めっき物や導電性媒体物の直径よりも小さくしておくことが好ましい。経路５３は、陰極機構４０と、外芯５１との間の空間で構成されている。洗浄液は、経路５３を通って噴出口５２から噴出する。
【００２９】
図３に、本発明のバレルめっき装置の使用時の断面図を示す。図３は、バレル１０の回転軸を含む面の断面図である。
【００３０】
バレル１０は、チップ状電子部品などの被めっき物６１とスチールボール等の導電性媒体物６２とを収容している。被めっき物６１はバレル１０に複数収納されており、被めっき物の集合体を構成している。そして、槽７１に貯留された洗浄液７２に浸漬されている。バレル１０には、被めっき物の集合体の内部に挿入構造体３０が位置するような量を収容する。
【００３１】
被めっき物を洗浄する工程においては、バレル１０を回転させながら、洗浄中に噴出口から洗浄液を噴出させて洗浄を行う。洗浄液の噴出の方向を図中の太矢印で示す。洗浄液には、純水等を使用する。導電性媒体物６２は、洗浄時にはなくともよい。
【００３２】
また、図４は、図３のバレルのＡ−Ａ断面図である。
【００３３】
バレル１０内には、陰極電極部４１と外芯５１との間の空間で構成されている経路５３が存在している。洗浄液は経路５３を通って、図中の太矢印の方向に噴出される。
【００３４】
図４から明らかなように、バレル１０が図中の細矢印の回転方向で回転した場合、被めっき物６１の集合体もバレルに追随して回転する。被めっき物の集合体の内部は、回転しても外部の洗浄液と接触しない。本発明では、被めっき物６１の集合体の内部に直接洗浄液を噴出する。そのため、被めっき物の効率的な洗浄が可能である。陰極電極部４１や外芯５１は、被めっき物の集合体の内部の中心に近いところに位置していることが好ましい。
【００３５】
［実施例］
本発明のバレルめっき装置は、以下のように作製可能である。
【００３６】
バレルは例えば幅が２５０ｍｍ、側面の対角寸法が１５０ｍｍの六角筒状である。バレルには、めっき液を透過させる穴が形成されており、材質はアクリルである。
【００３７】
外芯５１の外径は５ｍｍで、内部は空洞である。そして、外芯５１の材質は絶縁性のゴムである。また、陰極導入部４１の外径は３ｍｍである。そして、陰極導入部４１の材質は銅である。陰極電極部４２の外径は３ｍｍであり、長さは２０ｍｍである。陰極電極部４２の材質は真鍮である。噴射口の開口径５２は０．２ｍｍであり、被めっき物と接触する範囲に５ｍｍ間隔で形成されている。
【００３８】
上記バレルに、被めっき物と導電性媒体物を収容することで、洗浄が可能である。被めっき物の大きさは例えば３．２×１．６×１．６ｍｍで、２０００個収容できる。導電性媒体物の直径は２．５ｍｍであり、１４００ｍｌの体積に相当する量を収容する。バレルの回転数は例えば６ｒｐｍとすることで、良好に洗浄することが可能である。
【符号の説明】
【００３９】
１    バレルめっき装置
１０  バレル
２０  挿入口
３０  挿入構造体
４０  陰極機構
４１  陰極導入部
４２  陰極電極部
５０  噴出機構
５１  外芯
５２  噴出口
５３  経路
６１  被めっき物
６２  導電性媒体物
７１  槽
７２  洗浄液
１０１  バレル
１０３  槽
１０４  めっき処理液
１０７  洗浄液
１０８  噴出口
【図１】
2011032562.tif 000003
【図２】
2011032562.tif 000004
【図３】
2011032562.tif 000005
【図４】
2011032562.tif 000006
【図５】
2011032562.tif 000007